(57)【要約】【課題】本体の運搬と移動の操作性の改善を図ることができる集塵機を提供すること。【解決手段】モータと該モータにより回転駆動される集塵ファン及び前記モータの運転・停止を行うスイッチを収納したヘッド部２と、該ヘッド部２の下部に設けられたタンク３を備え、前記タンク３の下部に回転自在なキャスタ４，５を設けて成る集塵機１において、前記タンク３（又はヘッド部２）にスライドハンドル９を孔嵌合によって上下方向（又は斜め上下方向）に摺動可能に設けるとともに、該スライドハンドル９の下端に弾性体１０を被着したことを特徴とする。例えば、タンク３の側部に複数の摺動案内部７，８を設け、該摺動案内部７，８に、パイプ材にて逆Ｕ字状に成形された前記スライドハンドル９を摺動可能に嵌挿させる。【選択図】図１
2006254995.tif 000002
【特許請求の範囲】
【請求項１】
モータと該モータにより回転駆動される集塵ファン及び前記モータの運転・停止を行うスイッチを収納したヘッド部と、該ヘッド部の下部に設けられたタンクを備え、前記タンクの下部に回転自在なキャスタを設けて成る集塵機において、
前記タンク又はヘッド部にスライドハンドルを孔嵌合によって上下方向又は斜め上下方向に摺動可能に設けるとともに、該スライドハンドルの下端に弾性体を被着したことを特徴とする集塵機。
【請求項２】
前記タンクの側部に複数の摺動案内部を設け、該摺動案内部に、パイプ材にて逆Ｕ字状に成形された前記スライドハンドルを摺動可能に挿通させたことを特徴とする請求項１記載の集塵機。
【請求項３】
前記スライドハンドルの摺動方向と直交するネジ孔に螺合するノブボルトを設け、該ノブボルトによって前記スライドハンドルの摺動をロックするようにしたことを特徴とする請求項１又は２記載の集塵機。
【請求項４】
前記弾性体を前記スライドハンドルの下端に着脱可能に被着したことを特徴とする請求項１〜３の何れかに記載の集塵機。
【発明の詳細な説明】
【技術分野】
【０００１】
本発明は、建築現場等への持ち込みと移動が可能な集塵機に関するものである。
【背景技術】
【０００２】
一般に集塵機は、モータによって回転駆動される集塵ファンによって空気を吸引し、吸引された空気に含まれる塵をフィルタで分離してタンク内に回収するものである。
【０００３】
ところで、斯かる集塵機が使用される環境としては、家庭以外に建築現場やリフォーム現場等があり、建築現場等での電動工具による切断、切削、研削等の作業によって周囲に飛散した粉塵の掃除の用途に供される比較的大型の集塵機も知られている。この種の集塵機は、盗難等を防止するために作業終了後に毎日自動車で持ち帰るのが一般的であるが、場所によっては駐車場や空きスペースの問題により、現場の近くまで自動車の乗り入れができない場合も多い。
【０００４】
従来の集塵機は、モータ及び集塵ファンが内蔵されたヘッド部の下方にタンクを設け、タンクの下面に回転可能に設けられた複数のキャスタによって床面上を移動することができる。ここで、ヘッド部は、任意の位置に設けられた起動・停止用スイッチを覆うヘッドカバーを有しており、このヘッドカバーの上面には凸形状の把手が形成されている（例えば特許文献１参照）。
【０００５】
【特許文献１】特開２００４−０７３６８７号公報
【発明の開示】
【発明が解決しようとする課題】
【０００６】
而して、使用する場所まで集塵機を移動させるときは、ヘッドカバー上面の把手で本体を持ち上げて移動させる。或はヘッドカバー上面の把手を手で押し、キャスタを転がしながら本体を床面上で移動させる場合もあるが、この場合は集塵機の本体高さが低いために押しづらく疲労も大きい。
【０００７】
ところで、建築現場等で使用される集塵機を自動車で運搬する場合、前述のように場所によっては、駐車場や空きスペース等の問題により、現場の近くまで自動車の乗り入れができない場合も多いため、可成り長い距離（例えば、３００ｍ程度）を把手で本体を持ち上げてこれを運ぶか、或は把手を手で押してキャスタを転がしながら本体を移動させなければならず、多大の労力を要し不便であった。
【０００８】
又、集塵機を自動車（特に、トラックの荷台）に積み込んで運搬する場合には、タンクの下部に設けたキャスタが回転可能であるために本体が動いてしまい、本体をロープ等で固定する必要があり、その作業も面倒であった。
【０００９】
本発明は上記問題に鑑みてなされたもので、その目的とする処は、本体の運搬と移動の操作性の改善を図ることができる集塵機を提供することにある。
【課題を解決するための手段】
【００１０】
上記目的を達成するため、請求項１記載の発明は、モータと該モータにより回転駆動される集塵ファン及び前記モータの運転・停止を行うスイッチを収納したヘッド部と、該ヘッド部の下部に設けられたタンクを備え、前記タンクの下部に回転自在なキャスタを設けて成る集塵機において、前記タンク又はヘッド部にスライドハンドルを孔嵌合によって上下方向又は斜め上下方向に摺動可能に設けるとともに、該スライドハンドルの下端に弾性体を被着したことを特徴とする。
【００１１】
請求項２記載の発明は、請求項１記載の発明において、前記タンクの側部に複数の摺動案内部を設け、該摺動案内部に、パイプ材にて逆Ｕ字状に成形された前記スライドハンドルを摺動可能に挿通させたことを特徴とする。
【００１２】
請求項３記載の発明は、請求項１又は２記載の発明において、前記スライドハンドルの摺動方向と直交するネジ孔に螺合するノブボルトを設け、該ノブボルトによって前記スライドハンドルの摺動をロックするようにしたことを特徴とする。
【００１３】
請求項４記載の発明は、請求項１〜３の何れかに記載の発明において、前記弾性体を前記スライドハンドルの下端に着脱可能に被着したことを特徴とする。
【発明の効果】
【００１４】
請求項１及び２記載の発明によれば、当該集塵機の移動に際しては、スライドハンドルを弾性体がタンク部の摺動案内部に突き当たるまで上方に引き上げ、該スライドハンドルを手で引いて本体を移動させることができる。このため、場所によって駐車場や空きスペースの問題により、現場の近くまで自動車の乗り入れができない場合であっても、可成りの距離（例えば、３００ｍ程度）離れた建築現場まで集塵機を作業性良く且つ大きな労力を要することなく簡単に移動させることができる。
【００１５】
又、スライドハンドルを床面まで押し下げ、その下端に被着されたゴム等の弾性体を床面に押し付ければ、該弾性体がストッパとして機能し、これと床面との間に発生する大きな摩擦力によって集塵機の移動がロックされるため、例えば集塵機をトラックの荷台にそのまま乗せて運搬することができ、従来のように本体をロープで固定する等の面倒な作業を省略することができる。
【００１６】
そして、スライドハンドルと弾性体を追加するだけで、構造単純且つ安価に上記効果を奏することができる。
【００１７】
請求項３記載の発明によれば、スライドハンドルの摺動方向と直交するネジ孔に螺合するノブボルトによってスライドハンドルの摺動をロックすることができるため、スライドハンドルを作業者の好みに応じた任意の高さ位置で固定することができ、作業性が高められて集塵機を更に作業性良く容易に移動させることができる。又、スライドハンドルを床面まで押し下げ、その下端に被着された弾性体を所定量だけ変形させた状態でノブボルトによってスライドハンドルを固定すれば、弾性体の変形量を所定値に維持することができ、該弾性体と床面との間に所定の大きさの摩擦力を確保して集塵機の床面上での移動を一層確実にロックすることができる。
【００１８】
請求項４記載の発明によれば、弾性体をスライドハンドルの下端に対して着脱可能としたため、例えば集塵機を使用しないためにこれを収納しておく場合等には、弾性体をスライドハンドルから取り外した後、スライドハンドルを本体のタンクから取り外すことができ、集塵機の収納スペースが小さくて済むために好都合である。
【発明を実施するための最良の形態】
【００１９】
以下に本発明の実施の形態を添付図面に基づいて説明する。
【００２０】
図１は本発明に係る集塵機のスライドハンドルを引き上げた状態を示す一部破断側面図、図２は同集塵機の一部破断背面図、図３は同集塵機の平面図、図４は同集塵機のスライドハンドルを押し下げた状態を示す一部破断側面図である。
【００２１】
本発明に係る集塵機１は、ヘッド部２の下方にドラム状のタンク３を設け、該タンク３の下面に大小の計４つのキャスタ４，５を回転自在に軸支して構成され、従って、ヘッド部２とタンク３とで構成される本体はキャスタ４，５によって床面上を自由に移動することができる。尚、以後の説明においては、図１に示す集塵機１のヘッド部２の方向を上方、キャスタ４，５の方向を下方とする。
【００２２】
ここで、前記ヘッド部２の内部には、駆動源としての不図示のモータと該モータによって回転駆動される不図示の集塵ファンが内蔵されるとともに、前記モータの運転・停止を行うスイッチ６（図３参照）が設けられている。
【００２３】
又、前記タンク３は、内部に不図示のフィルタを備え、ヘッド部２に内蔵された前記集塵ファンによって吸い込まれた空気に含まれる塵をフィルタによって分離してこれを回収するためのものである。
【００２４】
ところで、本実施の形態に係る集塵機１においては、ヘッド部２の背面（図１の右端面）には、左右一対のブロック状の摺動案内部７，８が上下２段に亘って計４つ設けられている。尚、本実施の形態では、摺動案内部７，８はタンク３と一体に形成されているが、これをタンク３と別体に構成し、タンク３に後付けするようにしても良い。
【００２５】
上記摺動案内部７，８には円孔７ａ，８ａがそれぞれ上下方向に貫設されており、各円孔７ａ，８ａには、パイプ材にて正面視逆Ｕ字状に成形されたスライドハンドル９の左右の垂直部９ａが上下摺動可能に挿通されている。そして、このスライドハンドル９の左右の垂直部９ａの下段側の左右の摺動案内部８から下方へ突出する下端部には、該スライドハンドル９の外径よりも大きな外径を有する円柱状のゴム等の弾性体１０が着脱可能に被着されている。
【００２６】
以上のように構成された集塵機１において、ヘッド部２のスイッチ６をＯＮにすると、ヘッド部２内に内蔵された不図示のモータによって集塵ファンが回転駆動され、タンク３の不図示の吸込口から空気が吸引され、この吸引された空気に含まれる塵がタンク３内の不図示のフィルタによって分離されてタンク３内に回収される。
【００２７】
而して、建築現場内で集塵機１を移動させる場合には、図１〜図３に示すように、左右の弾性体１０の端面が下段側の摺動案内部８の下面に当接するまでスライドハンドル９を上方に引き上げる。そして、集塵機１の本体のスライドハンドル９が設けられた背面側をキャスタ４を中心として傾け、その状態でスライドハンドル９の水平把手部９ｂを手で持って本体を引けば、本体はキャスタ４によって自由に移動することができる。
【００２８】
従って、作業者は楽な姿勢で作業性良く、且つ、大きな労力を要することなく、集塵機１を所望の場所に容易に移動させることができる。又、場所によって駐車場や空きスペースの問題により、現場の近くまで自動車の乗り入れができない場合であっても、可成りの距離（例えば、３００ｍ程度）離れた建築現場まで集塵機１を作業性良く且つ大きな労力を要することなく移動させることができる。
【００２９】
他方、集塵機１を不図示のトラックの荷台に乗せて建築現場まで運搬し、或は建築現場から持ち帰る場合は、トラックの荷台に乗せた集塵機１のスライドハンドル９を図４に示すように弾性体１０が床面に接触するまで下方に押し下げる。すると、弾性体１０がストッパとして機能し、これと床面との間に発生する大きな摩擦力によって集塵機１の移動がロックされるため、従来のように本体をロープ等で固定しなくても、又、トラックが多少揺れたりしても、集塵機１が荷台上を移動することがない。このため、集塵機１をトラックの荷台にそのまま乗せて簡単に運搬することができ、従来のように本体をロープで固定する等の面倒な作業を省略することができる。
【００３０】
更に、弾性体１０をスライドハンドル９の下端に対して着脱可能としたため、例えば集塵機１を使用しないためにこれを収納しておく場合等には、弾性体１０をスライドハンドル９から取り外した後、スライドハンドル９を本体のタンク３から取り外すことができ、集塵機１の収納スペースが小さくて済むために好都合である。
【００３１】
而して、本実施の形態に係る集塵機１においては、スライドハンドル９と弾性体１０を追加するだけで、構造単純且つ安価に上記効果を奏することができる。
【００３２】
ところで、図５に示すように、例えば摺動案内部７にスライドハンドル９の摺動方向と直交するネジ孔７ｂを形成し、このネジ孔７ｂにノブボルト１１を螺合せしめ、該ノブボルト１１を回してスライドハンドル９を摺動案内部７に固定子てその摺動をロックするようにしても良い。
【００３３】
上記構成を採用すれば、スライドハンドル９を作業者の好みに応じた任意の高さ位置で固定することができ、操作性が高められて集塵機１を更に作業性良く容易に移動させることができる。
【００３４】
又、スライドハンドル９を床面まで押し下げ、その下端に被着された弾性体１０を所定量だけ変形させた状態でノブボルト１１によってスライドハンドル９を固定すれば、弾性体１０の変形量を所定値に維持することができ、該弾性体１０と床面との間に所定の大きさの摩擦力を確保して集塵機１のトラックの床面上での移動を一層確実にロックすることができる。
【００３５】
尚、本実施の形態では、スライドハンドル９を上下方向に摺動可能に設ける構成を採用したが、スライドハンドル９を斜め上下方向に摺動可能に設ける構成を採用しても良い。又、スライドハンドル９をタンク３に設けたが、スライドハンドル９をヘッド部２に設ける構成を採用しても良い。
【産業上の利用可能性】
【００３６】
本発明は、建築現場等で使用され、トラックに乗せて運搬される比較的大型の集塵機に対して特に有用である。
【図面の簡単な説明】
【００３７】
【図１】本発明に係る集塵機のスライドハンドルを引き上げた状態を示す一部破断側面図である。
【図２】本発明に係る集塵機のスライドハンドルを引き上げた状態を示す一部破断背面図である。
【図３】本発明に係る集塵機の平面図である。
【図４】本発明に係る集塵機のスライドハンドルを押し下げた状態を示す一部破断側面図である。
【図５】本発明の他の実施形態に係る集塵機の一部破断側面図である。
【符号の説明】
【００３８】
１      集塵機
２      ヘッド部
３      タンク
４，５    キャスタ
６      スイッチ
７，８    摺動案内部
７ａ，８ａ  円孔
７ｂ    ネジ孔
９      スライドハンドル
９ａ    スライドハンドルの垂直部
９ｂ    スライドハンドルの水平把手部
１０    弾性体
１１    ノブボルト
【図１】
2006254995.tif 000003
【図２】
2006254995.tif 000004
【図３】
2006254995.tif 000005
【図４】
2006254995.tif 000006
【図５】
2006254995.tif 000007